(57)【要約】【課題】  放熱機能とブックエンド機能とを兼備すること。【解決手段】  縦置き型筐体３内にパソコン本体４が配置された電子機器において、前記パソコン本体４の放熱を促進するための放熱板本体１２ａと該放熱板本体１２ａの後端縁から略直角に折曲された放熱補助板１２ｂとからなる略Ｌ字状放熱板１２を有し、前記筐体３の一方側面３ａの後部にガイド孔１３が貫設され、該ガイド孔１３に前記放熱補助板１２ｂを移動可能に挿通することにより、前記放熱板本体１２ａが筐体３の一方側面３ａに対してほぼ平行に配置されて、その放熱板本体１２ａと筐体３との間の間隔Ｈが調整可能に形成され、その放熱板本体１２ａを書籍１０のブックエンドとして使用する。【選択図】        図２
2007066134.tif 000002
【特許請求の範囲】
【請求項１】
縦置き型筐体内にパソコン本体が配置された電子機器において、前記パソコン本体の放
熱を促進するための放熱板本体と該放熱板本体の後端縁から略直角に折曲された放熱補助
板とからなる略Ｌ字状放熱板を有し、前記筐体の一方側面の後部にガイド孔が貫設され、
該ガイド孔に前記放熱補助板を移動可能に挿通することにより、前記放熱板本体が筐体の
一方側面に対してほぼ平行に配置されて、その放熱板本体と筐体との間の間隔が調整可能
に形成されていることを特徴とする電子機器。
【請求項２】
縦置き型筐体内に機器本体が配置された電子機器において、前記機器本体の放熱を促進
するための放熱板本体と該放熱板本体の後端縁から略直角に折曲された放熱補助板とから
なる略Ｌ字状放熱板を有し、前記放熱補助板を筐体の後部に位置決めすることにより、放
熱板本体が筐体の一方側面に対して所定の間隔をおいてほぼ平行に配置されていることを
特徴とする電子機器。
【請求項３】
前記筐体の一方側面の後部にガイド孔が貫設されており、該ガイド孔に前記放熱補助板
を移動可能に挿通することにより、前記放熱板本体と筐体との間の間隔が調整可能に形成
されていることを特徴とする請求項２に記載の電子機器。
【請求項４】
前記放熱補助板が前記筐体の後部に止着されていることを特徴とする請求項２に記載の
電子機器。
【請求項５】
前記放熱補助板の遊端から略直角に折曲されて放熱板本体と所定の間隔をおいてほぼ平
行に延びる放熱基板を有し、該放熱基板の裏面に磁石が固着されており、該磁石により放
熱基板を筐体の一方側面に吸着させるようにしたことを特徴とする請求項２に記載の電子
機器。
【請求項６】
横置き型筐体内にディスク装置本体が配置された電子機器において、前記ディスク装置
本体の放熱を促進するための放熱板本体と該放熱板本体の後端縁から略直角に折曲された
放熱補助板とからなる略Ｌ字状放熱板を有し、前記放熱補助板に上下方向所定間隔をおい
て複数の貫通孔が貫設されると共に、その各貫通孔に対向して前記ディスク装置本体の後
部にねじ孔が形成されており、放熱補助板の最下段の貫通孔を通してねじ孔にビスをねじ
込んで該放熱補助板をディスク装置本体の後部に止着することにより、放熱板本体が筐体
の下面に当接され、放熱補助板の上段側の貫通孔を通してねじ孔にビスをねじ込んで該放
熱補助板をディスク装置本体の後部に止着することにより、放熱板本体が筐体の下面に対
して所定の間隔をおいてほぼ平行に配置され、その筐体の下面と該下面に対して所定間隔
をおいて対向する放熱板本体との間に支え板が着脱可能に介在されていることを特徴とす
る電子機器。
【請求項７】
横置き型筐体内に機器本体が配置された電子機器において、前記機器本体の放熱を促進
するための放熱板本体と該放熱板本体の後端縁から略直角に折曲された放熱補助板とから
なる略Ｌ字状放熱板を有し、前記放熱補助板に上下方向所定間隔をおいて複数の貫通孔が
貫設されると共に、その各貫通孔に対向して前記機器本体の後部にねじ孔が形成されてお
り、放熱補助板の最下段の貫通孔を通してねじ孔にビスをねじ込んで該放熱補助板を機器
本体の後部に止着することにより、放熱板本体が筐体の下面に当接され、放熱補助板の上
段側の貫通孔を通してねじ孔にビスをねじ込んで該放熱補助板を機器本体の後部に止着す
ることにより、放熱板本体が筐体の下面に対して所定の間隔をおいてほぼ平行に配置され
ていることを特徴とする電子機器。
【請求項８】
前記筐体の下面と該下面に対して所定間隔をおいて対向する放熱板本体との間に支え板
が着脱可能に介在されていることを特徴とする請求項７に記載の電子機器。
【発明の詳細な説明】
【技術分野】
【０００１】
本発明は、例えばディスクトップタワー型パソコンやディスク装置（ＤＶＤプレーヤ、
ＤＶＤレコーダ）などの電子機器に関し、特に、放熱機能とブックエンド機能とを兼備し
たものである。
【背景技術】
【０００２】
従来、ディスクトップタワー型パソコンの技術として特許文献１などに記載したものが
あり、その一例を図１１に基づいて説明すると、これは、ディスプレイ１と、キーボード
２と、縦置き型筐体３内に配置したパソコン本体（機器本体）４とを有している。なお、
５は電源釦、６は光ディスク用開口部、７はフロッピーディスク用開口部、８はＵＳＢ接
続端子である。
【特許文献１】特開２０００−２９３２６４号公報
【発明の開示】
【発明が解決しようとする課題】
【０００３】
上記従来の構成では、パソコン本体４の放熱を促進するため、一般的に、筐体３の主要
部を放熱機能のある金属で形成すると共に、該筐体３内に空冷ファンを設けているが、仮
想線で示すように、筐体３をブックエンドの代わりにして、その筐体３に説明書などの書
籍１０を立てかけることがあり、これでは、書籍１０が断熱材となって、筐体３の放熱機
能を低下させると共に、その筐体３に立てかけた書籍１０が滑って倒れやすく、ブックエ
ンド機能も十分に果していない。
【０００４】
本発明は、上記従来の欠点に鑑み、放熱機能とブックエンド機能とを兼備した電子機器
を提供することを目的としている。
【課題を解決するための手段】
【０００５】
上記目的を達成するため、請求項１に記載の発明は、縦置き型筐体内にパソコン本体が
配置された電子機器において、前記パソコン本体の放熱を促進するための放熱板本体と該
放熱板本体の後端縁から略直角に折曲された放熱補助板とからなる略Ｌ字状放熱板を有し
、前記筐体の一方側面の後部にガイド孔が貫設され、該ガイド孔に前記放熱補助板を移動
可能に挿通することにより、前記放熱板本体が筐体の一方側面に対してほぼ平行に配置さ
れて、その放熱板本体と筐体との間の間隔が調整可能に形成されていることを特徴として
いる。
【０００６】
請求項２に記載の発明は、縦置き型筐体内に機器本体が配置された電子機器において、
前記機器本体の放熱を促進するための放熱板本体と該放熱板本体の後端縁から略直角に折
曲された放熱補助板とからなる略Ｌ字状放熱板を有し、前記放熱補助板を筐体の後部に位
置決めすることにより、放熱板本体が筐体の一方側面に対して所定の間隔をおいてほぼ平
行に配置されていることを特徴としている。
【０００７】
請求項３に記載の発明は、請求項２に記載の発明において、前記筐体の一方側面の後部
にガイド孔が貫設されており、該ガイド孔に前記放熱補助板を移動可能に挿通することに
より、前記放熱板本体と筐体との間の間隔が調整可能に形成されていることを特徴として
いる。
【０００８】
請求項４に記載の発明は、請求項２に記載の発明において、前記放熱補助板が前記筐体
の後部に止着されていることを特徴としている。
【０００９】
請求項５に記載の発明は、請求項２に記載の発明において、前記放熱補助板の遊端から
略直角に折曲されて放熱板本体と所定の間隔をおいてほぼ平行に延びる放熱基板を有し、
該放熱基板の裏面に磁石が固着されており、該磁石により放熱基板を筐体の一方側面に吸
着させるようにしたことを特徴としている。
【００１０】
請求項６に記載の発明は、横置き型筐体内にディスク装置本体が配置された電子機器に
おいて、前記ディスク装置本体の放熱を促進するための放熱板本体と該放熱板本体の後端
縁から略直角に折曲された放熱補助板とからなる略Ｌ字状放熱板を有し、前記放熱補助板
に上下方向所定間隔をおいて複数の貫通孔が貫設されると共に、その各貫通孔に対向して
前記ディスク装置本体の後部にねじ孔が形成されており、放熱補助板の最下段の貫通孔を
通してねじ孔にビスをねじ込んで該放熱補助板をディスク装置本体の後部に止着すること
により、放熱板本体が筐体の下面に当接され、放熱補助板の上段側の貫通孔を通してねじ
孔にビスをねじ込んで該放熱補助板をディスク装置本体の後部に止着することにより、放
熱板本体が筐体の下面に対して所定の間隔をおいてほぼ平行に配置され、その筐体の下面
と該下面に対して所定間隔をおいて対向する放熱板本体との間に支え板が着脱可能に介在
されていることを特徴としている。
【００１１】
請求項７に記載の発明は、横置き型筐体内に機器本体が配置された電子機器において、
前記機器本体の放熱を促進するための放熱板本体と該放熱板本体の後端縁から略直角に折
曲された放熱補助板とからなる略Ｌ字状放熱板を有し、前記放熱補助板に上下方向所定間
隔をおいて複数の貫通孔が貫設されると共に、その各貫通孔に対向して前記機器本体の後
部にねじ孔が形成されており、放熱補助板の最下段の貫通孔を通してねじ孔にビスをねじ
込んで該放熱補助板を機器本体の後部に止着することにより、放熱板本体が筐体の下面に
当接され、放熱補助板の上段側の貫通孔を通してねじ孔にビスをねじ込んで該放熱補助板
を機器本体の後部に止着することにより、放熱板本体が筐体の下面に対して所定の間隔を
おいてほぼ平行に配置されていることを特徴としている。
【００１２】
請求項８に記載の発明は、請求項７に記載の発明において、前記筐体の下面と該下面に
対して所定間隔をおいて対向する放熱板本体との間に支え板が着脱可能に介在されている
ことを特徴としている。
【発明の効果】
【００１３】
請求項１に記載の発明は第１の実施の形態（図１及び図２参照）に対応するものであっ
て、これによれば、略Ｌ字状放熱板の放熱板本体から直角に折曲された放熱補助板を筐体
の後部に位置決めすることにより、該筐体の放熱機能を高めているから、その筐体に例え
ば説明書などの書籍を立てかけても、該書籍が断熱材となって筐体の温度上昇を生じさせ
ることが無く、該筐体内に配置したパソコン本体の放熱を促進して高温による性能低下を
阻止し、そのパソコン本体を適正に作動させることができる。
【００１４】
また、放熱板本体が筐体の一方側面に対して所定の間隔をおいてほぼ平行に配置されて
いるので、該放熱板本体と筐体との間に書籍を挿入することにより、その書籍を滑って倒
れないように立てかけることができ、放熱板本体をブックエンドとしても有効に利用する
ことができる。
【００１５】
特に、筐体に立てかけようとする書籍の厚さに応じて、放熱板本体と筐体との間の間隔
を調整して、該放熱板本体を書籍に密着させることにより、その書籍を滑って倒れないよ
うに確実に挟持することができる。
【００１６】
要するに、放熱機能とブックエンド機能とを兼備したディスクトップタワー型パソコン
を提供することができる。
【００１７】
請求項２に記載の発明によれば、略Ｌ字状放熱板の放熱板本体から直角に折曲された放
熱補助板を筐体の後部に位置決めすることにより、該筐体の放熱機能を高めているから、
その筐体に例えば説明書などの書籍を立てかけても、該書籍が断熱材となって筐体の温度
上昇を生じさせることが無く、該筐体内に配置した機器本体の放熱を促進して高温による
性能低下を阻止し、その機器本体を適正に作動させることができる。
【００１８】
また、放熱板本体が筐体の一方側面に対して所定の間隔をおいてほぼ平行に配置されて
いるので、該放熱板本体と筐体との間に書籍を挿入することにより、その書籍を滑って倒
れないように立てかけることができ、その放熱板本体をブックエンドとしても有効に利用
することができる。
【００１９】
請求項３に記載の発明によれば、筐体に立てかけようとする書籍の厚さに応じて、放熱
板本体と筐体との間の間隔を調整して、該放熱板本体を書籍に密着させることにより、そ
の書籍を滑って倒れないように確実に挟持することができる。
【００２０】
請求項４に記載の発明によれば、放熱補助板を介して放熱板を筐体に不測に外れないよ
うに確実に止着しているので、その放熱板による放熱機能及びブックエンド機能を一層高
めることができる。
【００２１】
請求項５に記載の発明によれば、磁石により放熱板を筐体の一方側面に着脱可能に吸着
させるようになっており、該筐体に放熱板を取り付けるための加工を一切施す必要がなく
、その加工費が不要な分だけ経済的で使い勝手がよい。
【００２２】
請求項６に記載の発明は第４の実施の形態（図７〜図９参照）に対応するものであって
、これによれば、略Ｌ字状放熱板の放熱板本体から直角に折曲された放熱補助板をディス
ク装置本体の後部に止着しているので、該ディスク装置本体の放熱を促進して高温による
性能低下を阻止し、そのディスク装置本体を適正に作動させることができる。
【００２３】
また、ディスク装置本体を収納する横置き型筐体の下面に放熱板本体を当接させ、該放
熱板本体を介して前記筐体を例えば机上に載置することにより、外観上、放熱板本体を目
視できないようにして、既存のディスク装置と同じように使用することができる。
【００２４】
更に、横置き型筐体の下面に対して放熱板本体を所定の間隔をおいてほぼ平行に配置し
、該放熱板本体を介して前記筐体を例えば机上に載置することにより、その筐体と机との
間に空隙が形成されるので、該空隙を通して放熱板による放熱機能を高めることができる
と共に、その空隙を書籍の収納空間として利用することができる。
【００２５】
しかも、筐体の下面と放熱板本体との間に支え板を介在させることにより、その筐体を
不測に傾かないようにして安定した横置き状態にすることができる。
【００２６】
要するに、放熱機能とブックエンド機能とを兼備したディスク装置（ＤＶＤプレーヤ、
ＤＶＤレコーダ）を提供することができる。
【００２７】
請求項７に記載の発明によれば、略Ｌ字状放熱板の放熱板本体から直角に折曲された放
熱補助板を機器本体の後部に止着しているので、該機器本体の放熱を促進して高温による
性能低下を阻止し、その機器本体を適正に作動させることができる。
【００２８】
また、機器本体を収納する横置き型筐体の下面に放熱板本体を当接させ、該放熱板本体
を介して前記筐体を例えば机上に載置することにより、外観上、放熱板本体を目視できな
いようにして、既存の電子機器と同じように使用することができる。
【００２９】
更に、横置き型筐体の下面に対して放熱板本体を所定の間隔をおいてほぼ平行に配置し
、該放熱板本体を介して前記筐体を例えば机上に載置することにより、その筐体と机との
間に空隙が形成されるので、該空隙を通して放熱板による放熱機能を高めることができる
と共に、その空隙を書籍の収納空間として利用することができる。
【００３０】
請求項８に記載の発明によれば、筐体の下面と放熱板本体との間に支え板を介在させる
ことにより、その筐体を不測に傾かないようにして安定した横置き状態にすることができ
る。
【発明を実施するための最良の形態】
【００３１】
図１及び図２は本発明の第１の実施の形態であるディスクトップタワー型パソコンを示
すものであって、縦置き型筐体３内に配置したパソコン本体（機器本体）４の放熱を促進
するための放熱板本体１２ａと該放熱板本体１２ａの後端縁から略直角に折曲された上下
一対の放熱補助板１２ｂとからなる金属製略Ｌ字状放熱板１２を有し、筐体３の一方側面
３ａの後部に上下一対のガイド孔１３が貫設され、該各ガイド孔１３に各放熱補助板１２
ｂの遊端を左右方向ａ，ｂに沿って移動可能に挿通することにより、放熱板本体１２ａが
筐体３の一方側面３ａに対してほぼ平行に配置されて、その放熱板本体１２ａと筐体３と
の間の間隔Ｈが調整可能に形成されている。上記以外の構成は図１１に示す構成とほぼ同
じであるから、同一部分に同一符号を付してその説明を省略する。
【００３２】
上記構成によれば、略Ｌ字状放熱板１２の放熱板本体１２ａから直角に折曲された放熱
補助板１２ｂを筐体３の後部に位置決めすることにより、該筐体３の放熱機能を高めてい
るから、図１に仮想線で示すように、筐体３に例えば説明書などの書籍１０を立てかけて
も、該書籍１０が断熱材となって筐体３の温度上昇を生じさせることが無く、パソコン本
体４の放熱を促進して高温による性能低下を阻止し、そのパソコン本体４を適正に作動さ
せることができる。
【００３３】
また、放熱板本体１２ａが筐体３の一方側面３ａに対して所定の間隔Ｈをおいてほぼ平
行に配置されているので、図１に仮想線で示すように、放熱板本体１２ａと筐体３との間
に書籍１０を挿入することにより、その書籍１０を滑って倒れないように立てかけること
ができ、放熱板本体１２ａをブックエンドとしても有効に利用することができる。
【００３４】
特に、筐体３に立てかけようとする書籍１０の厚さに応じて、放熱板本体１２ａと筐体
３との間の間隔Ｈを調整して、該放熱板本体１２ａを書籍１０に密着させることにより、
その書籍１０を滑って倒れないように確実に挟持することができる。
【００３５】
要するに、放熱機能とブックエンド機能とを兼備したディスクトップタワー型パソコン
を提供することができる。
【００３６】
図３及び図４は本発明の第２の実施の形態であるディスクトップタワー型パソコンの要
部を示すものであって、縦置き型筐体３内に配置したパソコン本体（機器本体）４の放熱
を促進するための放熱板本体１２ａと該放熱板本体１２ａの後端縁から略直角に折曲され
た放熱補助板１２ｂとからなる金属製略Ｌ字状放熱板１２を有し、放熱補助板１２ｂがビ
ス１４により筐体３の後部に止着されている。上記以外の構成は図１及び図２に示す第１
の実施の形態とほぼ同じであるから、同一部分に同一符号を付してその説明を省略する。
【００３７】
上記構成によれば、放熱補助板１２ｂを介して放熱板１２を筐体３に不測に外れないよ
うに確実に止着しているので、その放熱板１２による放熱機能及びブックエンド機能を一
層高めることができる。
【００３８】
図５及び図６は本発明の第３の実施の形態であるディスクトップタワー型パソコンの要
部を示すものであって、縦置き型筐体３内に配置したパソコン本体（機器本体）４の放熱
を促進するための放熱板本体１２ａと、該放熱板本体１２ａの後端縁から略直角に折曲さ
れた放熱補助板１２ｂと、該放熱補助板１２ｂの遊端から略直角に折曲されて放熱板本体
１２ａと所定の間隔Ｈをおいてほぼ平行に延びる放熱基板１２ｃとからなる金属製略コ字
状放熱板１２を有し、前記放熱基板１２ｃの上下縁部１５ａ，１５ｂ及び前縁部１５ｃを
外向きに折り曲げて該放熱基板１２ｃの裏面側に凹部１６が形成され、該凹部１６内で放
熱基板１２ｃの裏面に磁石１７が固着されており、該磁石１７により放熱基板１２ｃを筐
体３の一方側面３ａに吸着させるようにした。上記以外の構成は図１及び図２に示す第１
の実施の形態とほぼ同じであるから、同一部分に同一符号を付してその説明を省略する。
【００３９】
上記構成によれば、磁石１７により放熱板１２を筐体３の一方側面３ａに着脱可能に吸
着させるようになっており、該筐体３に放熱板１２を取り付けるための加工を一切施す必
要がなく、その加工費が不要な分だけ経済的で使い勝手がよい。
【００４０】
図７〜図１０は本発明の第４の実施の形態であるディスク装置（ＤＶＤプレーヤ、ＤＶ
Ｄレコーダ）を示すものであって、横置き型筐体３内にディスク装置本体（機器本体）１
９が配置され、該ディスク装置本体１９の放熱を促進するための放熱板本体１２ａと該放
熱板本体１２ａの後端縁から略直角に折曲された左右一対の放熱補助板１２ｂとからなる
略Ｌ字状放熱板１２を有し、各放熱補助板１２ｂに上下方向所定間隔をおいて複数（この
実施の形態では２つ）の貫通孔２０ａ，２０ｂが貫設されると共に、その各貫通孔２０ａ
，２０ｂに対向してディスク装置本体１９のメインシャーシ１９ａの後部にねじ孔２１が
形成され、該ねじ孔２１に対向して筐体３の後板部に円筒状ボス部３ｂが形成され、該ボ
ス部３ｂの底板部の貫通孔２２及び放熱補助板１２ｂの各貫通孔２０ａ，２０ｂを通して
ねじ孔２１にビス２３をねじ込むようになっている。なお、図７中、２４は光ディスクＤ
をスロットイン式に差し込むための光ディスク用開口部、２５はディスプレイ、２６は操
作部である。
【００４１】
上記構成によれば、略Ｌ字状放熱板１２の放熱板本体１２ａから直角に折曲された放熱
補助板１２ｂをメインシャーシ１９ａの後部に止着しているので、ディスク装置本体１９
の放熱を促進して高温による性能低下を阻止し、そのディスク装置本体１９を適正に作動
させることができる。
【００４２】
図９（ｂ）に示すように、放熱補助板１２ｂの下段側貫通孔２０ｂを通してねじ孔２１
にビス２３をねじ込んで該放熱補助板１２ｂをメインシャーシ１９ａに止着することによ
り、横置き型筐体３の下面３ｃに放熱板本体１２ａを当接させ、該放熱板本体１２ａを介
して前記筐体３を例えば机２７上に載置することにより、外観上、放熱板本体１２ａを目
視できないようにして、既存のディスク装置と同じように使用することができる。
【００４３】
図７、図８及び図９（ａ）に示すように、放熱補助板１２ｂの上段側貫通孔２０ａを通
してねじ孔２１にビス２３をねじ込んで該放熱補助板１２ｂをメインシャーシ１９ａに止
着することにより、横置き型筐体３の下面３ｃに対して放熱板本体１２ａを所定の間隔Ｈ
をおいてほぼ平行に配置し、該放熱板本体１２ａを介して前記筐体３を例えば机２７上に
載置することにより、その筐体３と机２７との間に空隙Ｇが形成されるので、該空隙Ｇを
通して放熱板１２による放熱機能を高めることができると共に、その空隙Ｇを書籍１０の
収納空間として利用することができる。
【００４４】
図８に示すように、筐体３の下面３ｃの左右両端近傍に形成した凹溝２８に上端を着脱
可能に嵌入させた左右一対の支え板２９の下端を放熱板本体１２ａの上面に当接させてお
り、これによって、筐体３を不測に傾かないようにして安定した横置き状態にすることが
できる。
【００４５】
図７〜図９では、ディスク装置（ＤＶＤプレーヤ、ＤＶＤレコーダ）を横置きしたが、
図１０に示すように、そのディスク装置（ＤＶＤプレーヤ、ＤＶＤレコーダ）を縦置きし
た場合には、支え板２９を取り外すことにより、放熱板１２をブックエンドとしても使用
することができる。
【００４６】
要するに、放熱機能とブックエンド機能とを兼備したディスク装置（ＤＶＤプレーヤ、
ＤＶＤレコーダ）を提供することができる。
【産業上の利用可能性】
【００４７】
上記の実施の形態では、ディスクトップタワー型パソコンとディスク装置（ＤＶＤプレ
ーヤ、ＤＶＤレコーダ）とを例にあげて説明したが、これに限定されるわけではなく、各
種の電子機器に適用することができる。また、ディスク装置（ＤＶＤプレーヤ、ＤＶＤレ
コーダ）として、光ディスクＤをスロットイン式に差し込むタイプを例にあげて説明した
が、光ディスクＤをトレイで差し込むタイプにも適用される。
【図面の簡単な説明】
【００４８】
【図１】（ａ）は本発明の第１の実施の形態であるディスクトップタワー型パソコンを示す正面図、（ｂ）は同平面図である。
【図２】（ａ）は同要部の斜視図、（ｂ）は同要部の分解斜視図である。
【図３】（ａ）は本発明の第２の実施の形態であるディスクトップタワー型パソコンの要部の斜視図、（ｂ）は同要部の分解斜視図である。
【図４】同要部の水平断面図である。
【図５】（ａ）は本発明の第３の実施の形態であるディスクトップタワー型パソコンの要部の斜視図、（ｂ）は同要部の分解斜視図である。
【図６】同要部の水平断面図である。
【図７】本発明の第４の実施の形態であるディスク装置を示す斜視図である。
【図８】同正面図である。
【図９】（ａ）は放熱板を下げた状態の側面図、（ｂ）は放熱板を上げた状態の側面図である。
【図１０】同ディスク装置の縦置き状態の斜視図である。
【図１１】（ａ）は従来例を示す正面図、（ｂ）は同平面図である。
【符号の説明】
【００４９】
３              筐体
３ａ            筐体の一方側面
４              パソコン本体（機器本体）
１２            放熱板
１２ａ          放熱板本体
１２ｂ          放熱補助板
１２ｃ          放熱基板
１３            ガイド孔
１４            ビス
１７            磁石
１９            ディスク装置本体（機器本体）
２０ａ          上段側貫通孔
２０ｂ          下段側貫通孔
２１            ねじ孔
２３            ビス
２９            支え板
【図１】
2007066134.tif 000003
【図２】
2007066134.tif 000004
【図３】
2007066134.tif 000005
【図４】
2007066134.tif 000006
【図５】
2007066134.tif 000007
【図６】
2007066134.tif 000008
【図７】
2007066134.tif 000009
【図８】
2007066134.tif 000010
【図９】
2007066134.tif 000011
【図１０】
2007066134.tif 000012
【図１１】
2007066134.tif 000013